(57)【特許請求の範囲】
【請求項１】
一枚の成形シート（１）上に構成され、蓋（Ｃ’）を有するケース（Ｃ）を収容するためのケース収容部（３）を備え、上記成形シート（１）の裏面には蓋フィルム（２）が付着する公知の構造において、
上記成形シート（１）上に構成され、内容物（Ａ）を充填収容するための内容物収容部（１０）と、
上記内容物収容部（１０）の下側縁部に沿って構成され、内容物収容部（１０）にフランジ部（１１）を構成させるとともに、選択的に成形シート（１）と蓋フィルム（２）上から個別的な分離切取りが可能なようにして、独立的なカートリッジまたはリフィル包装容器（１０Ａ）を構成できるようにし、一部に連結用切欠部（２１）を備えるカートリッジまたはリフィルカッティング線（２０）を各々含み、
上記成形シート（１）上に構成され、販促用製品、開発試作品や開発の完了した未販売製品のサンプル内容物（Ａ’）を充填収容するためのサンプル内容物収容部（３０）と、
上記成形シート（１）上に構成され、選択的に上記サンプル内容物収容部（３０）を成形シート（１）と蓋フィルム（２）上から個別的な分離切取りが可能なようにして、独立的なサンプル包装容器（３０Ａ）を構成できるようにするサンプル切欠線（４０）を追加的に構成してなることを特徴とする、リフィルまたはカートリッジタイプ内容物包装容器とこれを収容するためのケースが同時に収納されるブリスター包装構造。
【請求項２】
上記成形シート（１）上に突出構成され、上記カートリッジまたはリフィルカッティング線（２０）の一部が上面部に通過するようにして、上記カートリッジまたはリフィル包装容器（１０Ａ）の切取り時、通過部分の成形シート（１）と蓋フィルム（２）の間に離隔空間が形成されるようにする開封案内用隆出部（５０）を追加的に構成してなることを特徴とする、請求項１項に記載のリフィルまたはカートリッジタイプ内容物包装容器とこれを収容するためのケースが同時に収納されるブリスター包装構造。
【発明の詳細な説明】
【技術分野】
【０００１】
本発明は、内容物を携帯と保管が容易なように挿脱可能に収納することができるように構成される任意のケースと、このケース内に挿脱可能に収納使用されるカートリッジタイプの内容物が充填されたブリスター包装容器またはブリスター型リフィル包装容器を、一つの包装体に同時に構成させるためのブリスター包装構造に関する。さらに具体的には、成形シートにケースが収容されるケース収容部と、カートリッジ包装容器またはリフィル包装容器の内容物が充填されることができる別途の内容物収容部を同時に成形構成し、各収容部が蓋フィルムでシーリングされた状態で、内容物収容部の縁部にカッティング線を構成して、使用時に内容物収容部のみを独立的に切り取ってケース内に収納したり、リフィル包装容器を開封してこれをケース内に投入して使用することができるようにしたもので、ケースの包装工程とカートリッジ包装容器またはリフィル包装容器の製造工程が一工程内でなされることができるようにして、包装工程の短縮による生産性の向上と製造費用の節減を期することができるようにしたものである。
【背景技術】
【０００２】
通常、ブリスター包装構造（Ｂｌｉｓｔｅｒ  ｐａｃｋａｇｅ）は、熱可塑性プラスチックフィルムまたはシートとしての包装方法の一種であり、包装しようとする商品の形状に大略合わせた輪郭の膨らみとして圧空または真空成形した、プラスチックラミネート成形シートで構成される容器体の膨らんだ空間部分に、内容物を入れた後、紙やプラスチックラミネートフィルムで構成される蓋フィルムで容器体の平らなフランジ部分のみをヒートシール（ｈｅａｔ  ｓｅａｌ）、高周波、超音波等で接着する方法であって、食品、日用品、雑貨、工産品、錠剤薬品、液状の化粧品等の包装に広く使用されている。
【０００３】
一方、上記のようなブリスター包装体は、内容物の種類によって一回か短期で消耗され、変質しやすい内容物の場合は、別途のケースに収納されず使い捨て用として販売され使用されており、ワックス状の固体形態の香水や芳香剤、化粧品のように比較的長期間にわたって反復的な使用がなされ変質に強い内容物の場合には、携帯や保管の容易性のためにプラスチックや金属のケース内に収納させた状態で開封して使用しまた閉じることができる構造で使用されている。
【０００４】
また、一部製品の場合には、携帯性または使用性をよくするために、金属製、プラスチック、またはセラミックやガラス容器にカートリッジ型の包装体を収納したり、リフィル包装体から内容物を容器に入れて使用する場合も多くなっている。このような製品の流通と販売のためには、これらの容器とカートリッジ包装体やリフィル包装体を、紙ケース、透明プラスチックケースや金属製、プラスチックまたはセラミックやガラス容器と、カートリッジまたはリフィル容器が見えるように透明なブリスターパッケージに再度収納してこれを販売するようになる。
【０００５】
図７は、このようにケースＣと、すでにブリスター包装方式によって構成される内容物包装体ＡＣが、ブリスター包装によってセット化で構成される状態であって、
図７でのような既存のブリスター包装体を構成するためには、図８でのように、
第一に、容器部Ａ１が備えられた成形シートＡ２と蓋フィルムＡ３によって内容物Ａをブリスター包装する過程（容器形成−内容物充填−蓋シーリング）が要求され、
第二に、包装が完成した内容物包装体ＡＣをまた別途のケースＣ内に収納する過程、
第三に、内容物包装体ＡＣが収納されたケースＣを、２次的に容器部Ｃ１が備えられた成形シートＣ２と蓋フィルムＣ３によってブリスター包装する過程（容器形成−ケース投入−蓋シーリング）が要求されるもので、
このような図７でのような既存の包装方式は、ケースＣの包装工程と内容物包装体ＡＣの製造工程がそれぞれ別個の工程によって構成されるものであるため、二回のブリスター包装工程が要求される関係から、包装工程の増加によって製造原価の上昇と生産性の低下をもたらすようになるのである。
【０００６】
また図７でのような既存の包装体は、市販中の内容物が充填された内容物包装体ＡＣとケースＣのみを収容するようになるもので、例えば開発試作品や開発の完了した未販売製品、または販売促進のための既存製品の消費者反応を確認するための製品サンプルを消費者に紹介するために別途のパッケージを構成して消費者に伝達する場合が一般的であり、一般的なブリスターパッケージにはサンプルを収容するための付加的な機能と構造がない場合が大部分である。この場合には、サンプル伝達のための費用の発生が不可避となる。
【０００７】
したがって、開発試作品や開発の完了した未販売製品の消費者反応を確認するためには、別途のサンプルを構成して所定の体験団に配布したりする方式なので、多様な意見の回収が難しく、サンプルの配布範囲が制限的なので、反応の正確度と実効性、多様性を確保するのが難しい問題がある。
【発明の概要】
【発明が解決しようとする課題】
【０００８】
上記のような問題点を解決するための本発明は、使用時に内容物収容部のみを独立的に切り取ってケース内に収納して使用したり、リフィル内容物が入っている内容物収容部を切取り／開封してケースに内容物を入れて使用することができるようにしたもので、ケースの包装工程と、カートリッジやリフィル包装容器の製造工程が一工程内でなされることができるようにして、包装工程の短縮による生産性の向上と製造費用の節減を期することができるリフィルまたはカートリッジタイプの内容物包装容器と、これを収容するためのケースが同時に収納されるブリスター包装構造を提供することにその目的がある。
【課題を解決するための手段】
【０００９】
上記のような本発明の目的を達成するために案出された本発明は、
成形シートにケースが収容されるケース収容部と、カートリッジ用またはリフィル用内容物が充填されることができる別途の内容物収容部を同時に成形構成し、各収容部が蓋フィルムでシーリングされた状態で、内容物収容部のみの独立的な切取りが可能なように内容物収容部の縁部に切欠線を構成することを特徴とする。
【００１０】
また本発明は、成形シートに開発試作品や開発の完了した未販売製品のサンプル内容物を包装することができるサンプル内容物収容部を追加的に備えるようにすることを特徴とする。
【発明の効果】
【００１１】
以上のような本発明は、ブリスター包装体の開封時、ケースを引き出し、内容物収容部を切り取ってケース内に収納したり、内容物収容部を開封してケース内に投入して使用することができるものであり、ケースの包装工程とカートリッジ包装容器の製造工程が一工程内でなされることができるようにして、包装工程の短縮による生産性の向上と製造費用の節減を期することができる効果があり、
また不特定多数に販売される製品に、今後発売開始予定である開発試作品や開発の完了した未販売製品または販売促進のためのサンプルを収容させることより、サンプルの特性をあらかじめ消費者に知らせることが可能で、消費者の期待心理増加と製品選択に対する決定に有利な告知を先占することができる効果があり、サンプルに対する多様な意見の回収が可能で市販製品の品質改善に役立ち、サンプルの配布範囲が無制限的であるため反応の正確度と実効性、多様性を確保することができる効果がある。
【図面の簡単な説明】
【００１２】
【図１】本発明の一構成例を示す平面例示図である。
【図２】図１の斜視図である。
【図３】図１の断面例示図である。
【図４】本発明の製造過程を説明するための図である。
【図５】本発明に適用される内容物収容部の使用過程を説明するための図である。
【図６】本発明に適用されるサンプル内容物収容部の使用過程を説明するための図である。
【図７】内容物包装体とケースが共に包装される既存のブリスター包装体を示す断面例示図である。
【図８】図７の製造過程を説明するための図である。
【発明を実施するための形態】
【００１３】
以下、本発明について図面を参照して詳しく説明する。
【００１４】
図１は本発明の一構成例を示す平面例示図で、図２は図１の斜視図であり、
図示されたように、本発明の包装体Ｐは、一枚の成形シート１上に構成され、蓋Ｃ’を有するケースＣを収容するためのケース収容部３を備え、上記成形シート１の裏面には蓋フィルム２が付着される公知の構造において、
上記成形シート１上に構成され、内容物Ａを充填収容するための内容物収容部１０と、
上記内容物収容部１０の下側縁部に沿って構成され、内容物収容部１０にフランジ部１１を構成させるとともに、選択的に成形シート１と蓋フィルム２上から個別的な分離切取りが可能なようにして、独立的なカートリッジまたはリフィル包装容器１０Ａを構成できるようにし、一部に連結用切欠部２１を備えるカートリッジまたはリフィルカッティング線２０と、
上記成形シート１上に構成され、開発試作品や開発の完了した未販売製品のサンプル内容物Ａ’を充填収容するためのサンプル内容物収容部３０と、
上記成形シート１上に構成され、選択的に上記サンプル内容物収容部３０を成形シート１と蓋フィルム２上から個別的な分離切取りが可能なようにして、独立的なサンプル包装容器３０Ａを構成できるようにするサンプル切欠線４０と、
上記成形シート１上に突出構成され、上記カートリッジまたはリフィルカッティング線２０の一部が内部に通過するようにして、上記カートリッジまたはリフィル包装容器１０Ａの切取り時、通過部分の成形シート１と蓋フィルム２の間に離隔空間が形成されるようにする開封案内用隆出部５０を各々含んでなったものである。
【００１５】
このように構成された本発明の作用を説明すれば次のとおりである。
【００１６】
本発明のブリスター包装体は、図４でのように、透明の成形シート１上にケース収容部３と内容物収容部１０、及びサンプル内容物収容部３０を任意形態で隆出させて成形するようになり、次の工程でケース収容部３内には長期間使用が可能な軟膏型の香水等のような任意の内容物Ａを充填収容し、ケース収容部３には金属やプラスチック、セラミックまたはガラスで構成されることができる蓋Ｃ’を有するケースＣを収納するようになり、サンプル内容物収容部３０内には発売開始予定である開発試作品や開発の完了した未販売製品のサンプル内容物Ａ’を充填するようになる。
【００１７】
内容物ＡとケースＣ及びサンプル内容物Ａ’の充填が終われば、ケース収容部３と内容物収容部１０及びサンプル内容物収容部３０の入口をシーリングする状態に、透明または不透明の蓋フィルム２を成形シート１の裏面に付着するようになる。
この後、内容物収容部１０とサンプル内容物収容部３０の縁部にカートリッジまたはリフィルカッティング線２０とサンプル切欠線４０を加工して、必要時にケース収容部３が位置する本体から個別的に切取り分離できるようにして、カートリッジまたはリフィル包装容器１０Ａとサンプル包装容器３０Ａが構成されるようにする。
【００１８】
以上の全工程は、一製造工程上でなされるもので、カートリッジまたはリフィル包装容器１０Ａの製造とケースＣの包装、サンプル包装容器３０Ａの製造が一工程のライン内で一構成体によって全て備えられることができるようになるものである。
【００１９】
上記で、カートリッジまたはリフィルカッティング線２０は、カートリッジまたはリフィル包装容器１０Ａの切取りの便宜性のために若干の外力でも完全な分離が可能な構造を適用するようになり、取り扱い上で勝手にカートリッジまたはリフィル包装容器１０Ａが分離離脱されることを防止するように、カートリッジまたはリフィルカッティング線２０の一部には複数の連結用切欠部２１を置いて、容易に離れず、意図的に強く切り取るまでくっ付いているようにする。
【００２０】
上記のサンプル切欠線４０は、連結用切欠部２１と同一の構造で加工して、小さな外力で容易に分離せず、使用者が人為的に切り取ろうと比較的強い切取り力を加える場合にだけ切り取られるようにする。
【００２１】
一方、カートリッジまたはリフィルカッティング線２０のうち、切取りが開始される部分の一部が通過するように、成形シート１上には、図２及び図３でのように、開封案内用隆出部５０を構成するようになるもので、この際、開封案内用隆出部５０は、内部に構成される空間を介して蓋フィルム２から離隔された状態を維持するものである。
【００２２】
上記カートリッジまたはリフィル包装容器１０Ａの切取りのためにカートリッジまたはリフィルカッティング線２０を分離させる場合、カートリッジまたはリフィルカッティング線２０が通過する内側に位置する開封案内用隆出部５０の通過部分も共に切断分離され、分離された後には、図５でのように、蓋フィルム２から離れた状態となって、蓋フィルム２の破紙が可能になるため、内容物の使用時、蓋フィルム２の除去が迅速容易になされることができ、取り扱いの便宜性を図るようになる。
【００２３】
一方、使用時には、図５でのように、カートリッジまたはリフィル包装容器１０Ａを切断分離させた後、引き出したケースＣの蓋Ｃ’を開き、その内部に収納した後、蓋フィルム２を除去した後に内容物Ａを使用するか、リフィル包装容器を開封してケースに投入して使用するようになるものであり、
サンプル包装容器３０Ａの使用時には、サンプル切欠線４０を利用して切り取った後、図６でのように、蓋フィルム２を除去した後、サンプル内容物Ａ’を使用するようになるものである。
【００２４】
以上では、本発明の実施例を説明したが、本発明が属する技術分野で通常の知識を有する者が本発明の技術的思想を逸脱しない範囲内で変更及び変形したものも本発明の権利範囲に属することは当然である。
【図１】
0006524539.tif 000002
【図２】
0006524539.tif 000003
【図３】
0006524539.tif 000004
【図４】
0006524539.tif 000005
【図５】
0006524539.tif 000006
【図６】
0006524539.tif 000007
【図７】
0006524539.tif 000008
【図８】
0006524539.tif 000009